(57)【要約】【課題】  ビデオカメラにて記録媒体に記録した映像情報に対して編集作業を行ってしまうと、後で前記編集作業を取り消して編集前の状態に戻すことができない。【解決手段】  前記課題を解決するために、第１の記録媒体に記録された映像情報の編集を行なう際は、編集によって削除された映像情報及び編集による映像情報変更履歴及び記録媒体のデータ管理情報を第２の記録媒体の一時記憶領域に記録する機能を発明した。前記機能により、映像情報の編集を取り消して編集前の状態に戻すことができる。【選択図】  図８
2008269726.tif 000002
【特許請求の範囲】
【請求項１】
複数の記録媒体を備えた記録再生装置であって、
撮像素子を有する映像情報入力手段と、
前記映像情報入力手段からの映像情報を記録媒体に記録する記録手段と、
前記記録媒体に記録された映像情報を再生する再生手段と、
映像を表示する表示部と、
第１の記録媒体から第２の記録媒体に映像情報を複製又は移動する複製処理を実行する複製手段と、
第２の記録媒体内に確保された一時記憶領域と、
第１の記録媒体に記録されている映像情報の編集を行なう編集手段と、
第１の記録媒体に記録されている映像情報から削除された映像情報をバックアップ映像情報として第２の記録媒体に記憶する記憶手段と、
第１の記録媒体に記録されている映像情報のデータ管理情報と映像情報の編集による映像情報変更履歴情報を第２の記録媒体に記憶する記憶手段を有することを特徴とする記録再生装置。
【請求項２】
請求項１に記載の記録再生装置において、
第２の記録媒体の一時記憶領域に記録されたバックアップ映像情報を、第１の記録媒体のバックアップ映像情報及びデータ管理情報及び変更履歴情報を用いて第１の記録媒体に映像情報を書き戻す手段を有し、前記手段によって第１の記録媒体に映像情報を書き戻すことを特徴とする記録再生装置。
【請求項３】
第２の記録媒体に記録された、第１の記録媒体のバックアップ映像情報及びデータ管理情報及び変更履歴情報を用いて第１の記録媒体に記録されている映像情報を復元する復元手段を有し、前記手段によってユーザが編集した映像情報を第１の記録媒体に復元することを特徴とする記録再生装置。
【請求項４】
請求項１に記載の記録再生装置において、
第２の記録媒体の一時記憶領域に記録されているデータ管理情報と映像情報変更履歴情報を、第１の記録媒体の映像情報の復元が成功した後に第２の記録媒体から削除する削除手段を有し、前記手段によって映像情報の復元が成功した後に、復元に使用した前記一時記憶領域のデータ管理情報及び映像情報変更履歴情報を削除することを特徴とする記録再生装置。
【請求項５】
請求項１に記載の記録再生装置において、
第２の記録媒体に記録されたバックアップ映像情報を第１の記録媒体に復元する際に、第２の記録媒体に記録されている映像情報変更履歴情報に含まれる時間情報を利用して、映像情報を復元する位置の決定を行なうことを特徴とする記録再生装置。
【請求項６】
請求項１に記載の記録再生装置において、
第２の記録媒体に記録された、第１の記録媒体のバックアップ映像情報を第１の記録媒体に復元する際の位置をユーザがデータ管理情報を用いて設定可能にする設定手段を有し、前記手段によって前記バックアップ映像情報を第一の記録媒体に復元する際の位置をユーザがデータ管理情報を用いて設定できることを特徴とする記録再生装置。
【請求項７】
請求項３に記載の記録再生装置において、
第２の記録媒体に記録されたバックアップ映像情報を、第１の記録媒体の映像情報の復元が成功した後に、第２の記録媒体に記録されていたバックアップ映像情報を削除するか否かをユーザが設定可能にする設定手段を有し、前記手段によって、映像情報の復元が成功した後に、第２の記録媒体のバックアップ映像情報を削除するか否かをユーザが設定できることを特徴とする記録再生装置。
【請求項８】
請求項１に記載の記録再生装置において、
第２の記録媒体にある一時記憶領域に記録されたデータ量が一定量に達した際に、前記一時記憶領域に記録されている日付の古いデータから削除されるようにユーザが設定する設定手段を有し、前記手段によって、前記一時記憶領域のデータを削除する方法をユーザが設定できることを特徴とする記録再生装置。
【請求項９】
請求項１に記載の記録再生装置において、
第１の記録媒体がＤＶＤ（Digital Versatile Disc）であった場合に、媒体の固有ＩＤをＤＶＤに記録する記録手段を有し、前記手段によって、ＤＶＤに固有ＩＤを記録することを特徴とする記録再生装置。
【発明の詳細な説明】
【技術分野】
【０００１】
技術分野は、記録再生装置に係り、特に、記録再生装置の映像情報編集時における使い勝手の向上に関する。
【背景技術】
【０００２】
記録再生装置において、ユーザの誤操作により変更された映像情報を変更前の状態に復元できると便利である。また、映像情報の復元を行なう際には、復元に必要なデータを保存しておくための記憶領域が必要となる。特に、複数回行なわれた映像情報の編集や、映像情報の削除を伴う編集を取り消すためには、十分な容量を持った記憶領域が不可欠である。
【０００３】
本技術分野の背景技術としては、例えば特許文献１がある。特許文献１には、ハードディスク（以下、ハードディスクドライブ＝ＨＤＤと呼ぶ）のデータ管理情報をＨＤＤに記録する記録再生装置が開示されている。前記文献では、前記管理情報を、ＨＤＤにリッピングされた曲情報を誤って消去した場合の曲情報の復元に利用している。
【０００４】
【特許文献１】特開２００４−１４５７０１号公報
【発明の開示】
【発明が解決しようとする課題】
【０００５】
近年、ビデオカメラに２つの記録媒体を搭載したハイブリッドビデオカメラが見られる。前記ハイブリッドビデオカメラにおいて、第１の記録媒体に記録された映像情報の編集が行なわれても、前記編集による映像情報の変更情報を記録再生装置が保持していないため、後で前記編集を取り消すことができない。また、ユーザの誤操作によって映像情報が削除された場合に、前記削除された映像情報の復元を行なうことができない。そのため、ビデオカメラでの編集作業が非効率になり、ユーザにとって使い勝手が悪くなってしまう。
【０００６】
特許文献１では、ＨＤＤにリッピングした曲情報を不意に削除した際の、データ修復方法について述べているが、ハイブリッドビデオカメラにおける、ユーザの誤操作による映像情報の変更を取り消す映像情報復元に関する技術は開示されていない。
【課題を解決するための手段】
【０００７】
上記課題を解決するために、第１の記録媒体に記録された映像情報の編集を行なうたびに、バックアップ映像情報及びデータ管理情報及び映像情報変更履歴情報を第２の記録媒体に記録する機能を有し、ユーザが映像情報に対して行なった編集を任意のタイミングで取り消し、前記映像情報を編集前の状態に復元することが可能な記録再生装置を提供する。
【発明の効果】
【０００８】
上記手段によれば、例えば、第１の記録媒体に記録された映像情報がユーザによって編集された場合でも、後で映像情報を編集前の状態に復元することができる。また、ユーザの誤操作によって削除された映像情報の復元も可能となる。
【０００９】
上記以外の課題・手段・効果は、後述する実施例によって明らかにされる。
【発明を実施するための最良の形態】
【００１０】
以下、本発明の実施例を第１の記録媒体ＤＶＤと第２の記録媒体ＨＤＤとを有するハイブリッドビデオカメラを例に、図面を用いて詳細に説明する。ＤＶＤには、１つ以上のシーンから成る映像情報が記録されるものとする。
【００１１】
図１は、本実施例を実行するためのブロック図である。例としてＤＶＤビデオカメラにＨＤＤを搭載したハイブリッドビデオカメラを用いて説明する。なお、ＨＤＤではなく、半導体メモリやディスク媒体を使用してもよい。ＤＶＤにはＤＶＤ−Ｒ、ＤＶＤ−ＲＷ、ＤＶＤ−ＲＡＭ、ＤＶＤ＋Ｒ、ＤＶＤ＋ＲＷのように複数あるがその種類は、特に限定しない。もちろん、ＢＤ（BlueLay Disc）やＨＤ（High Definition）−ＤＶＤでも構わない。他にも、ＣＤ（Compact Disc）、ＭＤ（MiniDisc）など、他の記録媒体に適用可能である。本実施例では、ＤＶＤ−ＲＡＭを想定する。
【００１２】
システム制御部１０１は、ＣＰＵ（Central Processing Unit）やメモリを持ち、システム全体を制御する。また、ユーザからの入力情報はユーザインタフェース１０２から得られ、入力情報はシステム制御部１０１にて処理される。１０３のレンズを通して得られた光を１０４のＣＣＤ（Charge Coupled Diode）が電気信号に変換する。１０５はＡ／Ｄ変換器であり、ＣＣＤ１０４から得られたアナログ電気信号をデジタル信号に変換し、１０６のＣＯＤＥＣ（COmpression／DECompression）へ信号を渡す。ＣＯＤＥＣ１０６で符号化され、生成されたＡＶストリームは、１０７のＲＡＭ（Random Access Memory）に蓄積される。ドライブ制御部１０８とＨＤＤ制御部１０９は、それぞれＤＶＤ１１０とＨＤＤ１１１へのアクセスを制御する部分である。ＲＡＭ１０７に蓄積されたストリーム情報は、ドライブ制御部１０８とＨＤＤ制御部１０９を通してＤＶＤ１１０とＨＤＤ１１１に記録される。表示部１１２は、映像を表示するためのディスプレイ装置である。以下、液晶ディスプレイ（ＬＣＤ）として説明するが、有機ＥＬディスプレイ等であってもよい。ＬＥＤ１１３は、電源が入ったり、充電を行なったり、記録媒体にアクセスする時に点灯し、記録再生装置の動作状況を示す。なお、図示していないが、バッテリなど、一般的なビデオカメラの機能は全て搭載しているものとする。
【００１３】
図２は、ＨＤＤの概念図であり、２０１は、ＤＶＤ１１０のバックアップ映像情報とＤＶＤデータ管理情報と映像情報変更履歴情報を記録するための一時記憶領域である。ここで、バックアップ映像情報は、ＤＶＤに記録されている映像情報の編集によって削除された映像情報を表す。また、ＤＶＤデータ管理情報は、ＤＶＤ全体のデータ管理情報を表し、ＤＶＤに記録されている映像情報の記録日時やデータサイズなどが記録されている。本実施例では、ＤＶＤに記録されている映像情報の管理情報が記録されているＩＦＯファイルから、ＤＶＤデータ管理情報が生成されるとする。前記ＤＶＤデータ管理情報には、ＩＦＯファイルに含まれる全ての情報と、ＤＶＤ識別ＩＤなどが記録される。映像情報変更履歴情報はＤＶＤに記録された映像情報が編集されるたびに、どの映像情報に対してどのような編集が行われたかの履歴を記録していくものとする。一時記憶領域２０１は、撮影された映像情報を記録するための領域とは別にＨＤＤ１１１内に確保され、通常操作においては、ユーザに前記一時記憶領域を意識させることは無い。
【００１４】
図３は、ＤＶＤの外形図であり、３０１はＢＣＡ（Burst Cutting Area）と呼ばれるデータ記録領域である。ＢＣＡ３０１は、ＤＶＤ１１０のデータ領域の内側に特殊なレーザ光線を用いて傷を付け、ディスク固有の情報を記録したものである。ＢＣＡの情報は、光反射率の違いで読み出すことができ、従来の光ピックアップを用いて読み出すことが可能である。ここで、ＢＣＡには、ＤＶＤ固有の識別ＩＤ情報を記録しておくようにする。なお、他の識別ＩＤ記録手段として、ＤＶＤの記録領域の一部に、ビデオカメラによって設定された通し番号をＤＶＤ識別ＩＤとして使用し、ＤＶＤにファイルとして記録しても良い。その場合は、前記ファイルを読み出すことで、装填されているＤＶＤとバックアップデータを対応させることができる。本実施例では、ビデオカメラがＤＶＤ識別ＩＤを用いて、ＤＶＤ１１０と、ＨＤＤ１１１の一時記憶領域２０１に記録されたバックアップ映像情報とＤＶＤのデータ管理情報と映像情報変更履歴情報を対応させる。これにより、ＨＤＤの一時記憶領域に記録されたデータと、装填されているＤＶＤに記録されているデータの対応をとることが可能となり、異なるＤＶＤが装填された際の誤動作を回避することができる。
【００１５】
図４と図５を用いて、本実施例で使用する、編集された映像情報を編集前の状態に復元するのに必要な映像情報変更履歴情報について説明する。図４に、第２の記録媒体の一時記憶領域２０１に記録する、映像情報変更履歴情報の例を示す。ここで、４０１はＤＶＤに記録された映像情報の、映像情報変更履歴情報を示す。ＤＶＤ識別ＩＤ４０２は、前記履歴情報と一対一で対応するＤＶＤの識別ＩＤである。履歴４０３は、ＤＶＤに記録された映像情報に対して編集が行なわれるたびに記録される、編集内容記録情報である。ＤＶＤに記録された映像情報に新たな編集が行なわれるたびに、編集履歴４０３が映像情報変更履歴情報４０１に追加される。なお、前記映像情報変更履歴情報に追加される履歴の数の上限やデータ量をユーザが設定可能にすると使い勝手が向上する。前記設定によって、バックアップ量を重視するユーザは前記上限を大きくすれば良い。もちろん、ユーザが設定することができるバックアップ用のデータ量の上限は、一時記憶領域の容量の上限より大きくすることはできない。
【００１６】
図５に、４０３の詳細の一例を示す。４０３には編集日時５０１及び編集の種類５０２及び編集内容５０３が記録される。５０４は、編集日時５０１の例であり、西暦、日付、秒単位の時間の情報を含む１４桁の数字で表現される。なお、編集履歴の通し番号を作成し、それを編集日時の代わりに使用しても構わない。編集の種類５０２は、行なわれた編集が、映像情報の削除を伴うものか否かを判別するために使用する１ビットのデータである。５０５、５０６が示すように、前記編集が削除を伴うものの場合は１、伴わないならば０が記録される。編集内容５０３には、どの映像情報に対する編集なのかを含む情報が記録される。なお、映像情報の削除を伴う編集が行なわれた場合に、削除されたデータ量を記憶しておく領域を確保しても構わない。
【００１７】
図６を用いて、本実施例のハイブリッドビデオカメラにおいて、ＤＶＤに記録された映像情報の編集が行なわれるたびに、前記編集による映像情報の変更情報をＨＤＤの一時記憶領域に記録する、バックアップ処理について説明する。図６は、ユーザインタフェース１０２を介してＤＶＤに記録された映像情報がユーザによって編集された後のバックアップ処理フローを示すフローチャートである。本実施例では、ＤＶＤに記録された映像情報の編集は、ユーザがメニューから行なうことができるとする。ステップＳ６００でユーザによる映像情報の編集命令を受け取った後、ステップＳ６０１において、前記編集がＤＶＤに記録された映像情報の削除を伴うものか否かの判定を行なう。例えば、ユーザがＤＶＤに記録されたシーンの分割処理のみを行なった場合は、映像情報の削除を伴わない編集であると判定し、ステップＳ６０３へ進む。ステップＳ６０３では、編集によって変更されたＤＶＤデータ管理情報に、装填されているＤＶＤから読み出した識別ＩＤ情報と同じＩＤ情報が付加され、ＨＤＤの一時記憶領域に記録される。また、編集内容を含む編集履歴は、前記一時記憶領域に記録されている映像情報変更履歴情報に追加記録される。ステップＳ６０１で、映像情報の削除を伴う編集が行われたと判定された場合は、ステップＳ６０２で削除された映像情報と前記編集履歴が一対一対応され、ＨＤＤの一時記憶領域に記録される。
【００１８】
図７を用いて、本実施例のハイブリッドビデオカメラにおいて、ＤＶＤに記録された映像情報に行なわれた編集を取り消して編集前の状態に戻す、映像情報復元処理を行なうための準備処理について説明する。図７は、ＤＶＤが装填された際に行なう映像情報復元準備処理のフローチャートの例を示す。なお、装填されるＤＶＤは、新品でも記録済みのものでも構わない。ステップＳ７００で、ＤＶＤが装填されたことが認識されると、ステップＳ７０１で、装填されたＤＶＤにＤＶＤ識別ＩＤ情報が記録されたファイルが存在するか否かの判定を行なう。新品のＤＶＤや、他のビデオカメラによって記録済みのＤＶＤには、ＤＶＤ識別ＩＤ情報が記録されたファイルは存在しない。ＤＶＤに識別ＩＤが記録されたファイルが存在していなければ、ステップＳ７０２で前記ＤＶＤに識別ＩＤ情報をファイルとして記録し、ステップＳ７０３で、前記ＤＶＤのデータ管理情報が、前記ＤＶＤ識別ＩＤ情報を付加されてＨＤＤの一時記憶領域に記録される。また、前記ＤＶＤ識別ＩＤ情報が付加された空の映像情報変更履歴情報が作成され、ＨＤＤの一時記憶領域に記録される。その後ステップＳ７０６で、ユーザがメニューから映像情報の復元ができないよう設定が変更され、復元準備処理を終了する。ステップＳ７０１において、識別ＩＤ情報が記録されたＤＶＤが装填されたと判定された場合は、ステップＳ７０４において、ＤＶＤに記録された識別ＩＤに対応するＤＶＤデータ管理情報が、ＨＤＤの一時記憶領域に記録されているか否かの判定を行ない、対応するデータ管理情報が存在しなければステップＳ７０３の処理を行ない、後の処理ステップＳ７０６は前述の通りである。ステップＳ７０４で、対応するデータ管理情報が存在していると判定されれば、ステップＳ７０５で、ユーザがメニューから映像情報を復元できるよう設定され、復元準備処理が終了する。なお、ユーザが手動でＨＤＤの一時記憶領域にあるバックアップ映像情報をＤＶＤに書き戻せるように設定すると使い勝手が向上する。書き戻す際は、ユーザの設定によって、バックアップ映像情報が書き戻される位置をユーザが任意で決定するか、映像情報変更履歴情報に含まれる撮影時刻を使って書き戻す位置が決定されるかを設定できると、異なる識別ＩＤを持つＤＶＤにも一度削除された映像情報を復元できるため、使い勝手が向上する。なお、ＤＶＤに書き戻されたバックアップ映像情報をＨＤＤの一時記憶領域から削除するか否かをユーザが設定できるようにすると、前記一時記憶領域から不要なデータを削除したいユーザにとって、さらに使い勝手が向上する。なお、ＤＶＤのＢＣＡにＤＶＤ識別ＩＤ情報が記録されている場合は、ステップＳ７０１の判定を行なう必要は無い。その場合は、ステップＳ７００でＤＶＤの装填を認識した後はそのままステップＳ７０４の処理を実行すれば良い。
【００１９】
図８を用いて、ＤＶＤの映像情報を復元するための処理について説明する。図８に、ユーザがメニューから映像情報の復元を実行してから復元が終了するまでのフローチャートの例を示す。ステップＳ８００で、ユーザによる復元命令を受け取ると、ステップＳ８０１でＨＤＤの一時記憶領域の映像情報変更履歴情報の読み出しを行なう。ステップＳ８０２で、前記映像情報変更履歴情報に含まれる最新の編集履歴の編集内容を確認し、編集の種類５０６に０が記録されていれば、映像情報の復元によってＤＶＤに記録されているデータ量がＤＶＤの容量を超える可能性が無いと判断され、ステップＳ８０４で映像情報の復元が実行する。このときの映像情報の復元には、ＨＤＤの一時記憶領域に記録されたＤＶＤデータ管理情報と、映像情報変更履歴情報にある最新の編集履歴が使用され、ユーザによって最後に行なわれた編集が取り消され、編集前の映像情報が復元される。ステップＳ８０２で、前記最新の編集履歴に含まれる編集の種類５０６が１ならば、復元予定のバックアップ映像情報のデータ量が、装填されているＤＶＤの空き容量を超える可能性があると判断し、ステップＳ８０３でＤＶＤの空き容量と、復元予定のデータ量の比較を行なう。復元予定のバックアップ映像情報のデータ量が、装填されているＤＶＤの空き容量を超えていないと判断されれば、ステップＳ８０４で映像情報の復元を行なう。ステップＳ８０３で前記データ量が、前記空き容量を超えていると判断された場合は、ステップＳ８０５でＤＶＤの容量オーバーであることをＬＣＤ１１２に表示する。ステップＳ８０４でデータの復元を行なったら、ステップＳ８０６で、図７で説明した復元準備処理を行ない、ステップＳ８０７で復元を終了する。なお、ＨＤＤの一時記憶領域に記録されているデータ量が前記一時記憶領域の容量の上限または、前記一時記憶領域に記録する編集履歴数の上限に達した場合は、前記一時記憶領域にある日付の古いデータから削除する。このとき、例えば日付の古いデータを削除する前にＬＣＤにメッセージを表示しても良い。また、日付の古いデータを削除するか否かをユーザが設定しても構わない。他に、ユーザが映像情報の削除を行なう際に、削除されるデータに前もって優先度を付加できるようにし、ＨＤＤの一時記憶領域に記録されているデータ量が、前記記憶領域の容量の上限に達した際に前記優先度の低いデータから削除されるようにしても良い。
【００２０】
図９を用いて、ＤＶＤの映像情報の復元を連続で行なう、いわゆるＵＮＤＯ処理について説明する。図９に、ユーザがＵＮＤＯを行なう際のフローチャートの例を示す。ステップＳ９０１において、図８で説明した復元処理を実行する。その後ステップＳ７０４〜ステップＳ７０６で、続けて復元が可能か否かの判定を行なう。このときの処理ステップの詳細は前述の通りである。ステップＳ９０２では、続けてユーザからの復元命令が実行されたか否かを判定する。さらに映像情報の状態を復元したいユーザは復元命令を実行し、ステップＳ９０１に戻る。映像情報が所望の状態に復元できたユーザは復元命令を実行しないため、ステップＳ９０３に進みＵＮＤＯ処理が終了する。なお、映像情報のＵＮＤＯを行なう際に使用したＨＤＤ内のＤＶＤデータ管理情報と映像情報変更履歴情報は、ＵＮＤＯ終了後にＨＤＤの一時記憶領域から必ず削除されるが、バックアップ映像情報を前記領域から削除するか否かは、ユーザがメニューから設定できるようにすると使い勝手が向上する。このとき、前記バックアップ映像情報を削除するように設定されると、前記一時記憶領域の容量を節約することができる。一方、前記バックアップ映像情報を削除しないよう設定されると、後で再び同映像情報の復元が可能となる。なお、ＨＤＤの一時記憶領域に記録されるデータ量の上限をユーザが設定可能にすると、ＨＤＤの映像記録領域を多くしたいユーザは前記上限を小さく設定すれば良いので、使い勝手が向上する。また、ＵＮＤＯの回数は、ＨＤＤの一時記憶領域に記録されるバックアップ情報量に比例するため、ユーザが前記一時記憶領域の容量の上限を大きくすれば、ＵＮＤＯの回数も増加する。なお、ＨＤＤの一時記憶領域に記録されている全ての編集履歴を一度に復元できるようなメニューがあると、ユーザが何度もＵＮＤＯを行なう手間が省けるため、使い勝手が向上する。
【００２１】
以上、説明した例により、ユーザによって編集された映像情報を、後で任意のタイミングで編集前の状態に復元する機能が実現できる。
【００２２】
なお、本実施例は、ＤＶＤに記録されている映像情報の復元を行なうことを想定しているが、ＨＤＤに記録されている映像情報の復元を行なうことも同様に可能である。
【図面の簡単な説明】
【００２３】
【図１】記録再生装置の構成例を示すブロック図
【図２】ＨＤＤの外形図
【図３】ＤＶＤの外形図
【図４】映像情報変更履歴情報の一例を示す図
【図５】編集履歴の内部の一例を示す図
【図６】ＤＶＤに記録された映像情報のバックアップ処理フロー例を示す図
【図７】ＤＶＤが装填された際の処理フロー例を示す図
【図８】ＤＶＤに記録された映像情報の復元を行なう処理フロー例を示す図
【図９】ＤＶＤ記録された映像情報のＵＮＤＯを行なう処理フロー例を示す図
【符号の説明】
【００２４】
１０１…システム制御部、１０２…ユーザインタフェース、１０３…レンズ、１０４…ＣＣＤ、１０５…Ａ／Ｄ変換器、１０６…ＣＯＤＥＣ、１０７…ＲＡＭ、１０８…ドライブ制御部、１０９…ＨＤＤ制御部、１１０…ＤＶＤ、１１１…ＨＤＤ、１１２…表示部、１１３…ＬＥＤ、２０１…ＨＤＤの外形図、３０１…ＤＶＤの外形図、４０１…映像情報変更履歴情報、４０２…４０１に記録されたＤＶＤ識別ＩＤ、４０３…編集履歴、５０１〜５０６…編集履歴の内部の一例、Ｓ６００〜Ｓ６０４…図６の処理フロー内容、Ｓ７００〜Ｓ７０７…図７の処理フロー内容、Ｓ８００〜Ｓ８０７…図８の処理フロー内容、Ｓ９００〜Ｓ９０３…図９の処理フロー内容
【図１】
2008269726.tif 000003
【図２】
2008269726.tif 000004
【図３】
2008269726.tif 000005
【図４】
2008269726.tif 000006
【図５】
2008269726.tif 000007
【図６】
2008269726.tif 000008
【図７】
2008269726.tif 000009
【図８】
2008269726.tif 000010
【図９】
2008269726.tif 000011